(57)【要約】      （修正有）【課題】角質除去作業中以外は、刃先をおおい状に保護することで、刃先により肌を傷つける危険性がなく、且つ刃先自体の損傷も防止し得ると共に、誤操作による不安を解消した安全で衛生的な角質除去具を提供する。【解決手段】把持部１Ｂと、周壁１ｂ面内に直動用長孔１２を開設すると共に、先端が筒開口面より外方へ突出する刃先保護棒１１を固定した小径筒部１Ａとを備える筒本体１と、この筒本体１の小径筒部１Ａ内に往復動可能に配備され、戻り位置において上記刃先保護棒１１に外嵌する削り管２４の先端を刃先保護棒１１先端より後退させ、且つ送り位置において削り管２４の先端を刃先保護棒１１先端より前進させる従動スライダー２と、上記小径筒部１Ａの外面に回動可能に配備され、上記直動用長孔１２を貫通する従動スライダー２の突子２３の先端を嵌合する案内溝を備えた操作用筒体３とから成る。【選択図】図２
0003146129.tif 000002
【実用新案登録請求の範囲】
【請求項１】
把持部と、周壁面内に直動用長孔を開設すると共に、先端が筒開口面より外方へ突出する刃先保護棒を固定した小径筒部とを備える筒本体と、この筒本体の小径筒部内に往復動可能に配備され、戻り位置において上記刃先保護棒に外嵌する削り管の先端を刃先保護棒先端より後退させ、且つ送り位置において削り管の先端を刃先保護棒先端より前進させる従動スライダーと、上記小径筒部の外面に回動可能に配備され、上記直動用長孔を貫通する従動スライダーの突子の先端を嵌合する案内溝を備えた操作用筒体とから成る角質除去具。
【請求項２】
前記削り管が戻り位置にある状態において、露出する操作用筒体並びに刃先保護棒先端部の全表面を覆うキャップ体を嵌脱可能に配備したことを特徴とする請求項１記載の角質除去具。
【請求項３】
前記直動用長孔は、直線状の２条の孔を小径筒部の筒壁面内に１８０度角開いて対向状に開設する一方、従動スライダーの突子並びに操作用筒体の案内溝が、それぞれ直動用長孔に対応して複数設けられていることを特徴とする請求項１記載の角質除去具。
【考案の詳細な説明】
【技術分野】
【０００１】
この考案は、足の踵や手の平などの角質層を除去し皮膚を清浄化するのに使用する角質除去具に関する。
【背景技術】
【０００２】
現在、手や足の角質を除去する簡易な器具としては、図７で示すものが知られている。この器具は、金属製或いは硬質プラスチック製の円筒状擦り管本体７１の先端部に、断面が略三角形状の先端刃部７１ａを周設している。
【０００３】
使用に際しては、例えば皮膚の角質層に対して先端刃部７１ａを直角状に配置し、この管姿勢を保持して円筒状擦り管本体７１を前後動させる。これにより、剥離した角質は円筒状擦り管本体７１の内部に堆積状に集積する。
【０００４】
剥離した角質がある程度の量、溜まると、これを管外へ排出し廃棄する必要がある。従来は、図７で示すように円筒状擦り管本体７１の基端側から、管本体に対し細径の押出し棒７２を挿し込み、押出し棒先端面で堆積状に溜まった剥離角
質を外部へ排出する。
【０００５】
ところが、この角質除去具では剥離した角質の廃棄作業に手間どる。つまり、一方の手指で管本体を持ち、他方の手指で持った押出し棒を管本体に挿通しなければならず、角質の排出に両手を要する不利があった。
【０００６】
そこで、本願出願人は、近年、図６で示すような角質除去具を提案した。この器具は、先端に刃部８１を備えた管本体８２と、この管本体８２に内装され、且つ常時、管基端部側へバネ８３付勢された押出し棒８４とで構成している。
【０００７】
この器具では、押出し棒８４が所謂ノック式である点に特徴がある。管８２内に溜まった剥離角質Ａは、押出し棒８４をバネ８３に抗して軽く叩いて押し込むだけで、押出し棒８４の先端８５が刃部８１より前方へ移動して、角質Ａを排出する。
【特許文献１】実用新案登録第３１３４２４０号公報
【考案の開示】
【考案が解決しようとする課題】
【０００８】
上記角質除去具では、角質の排出作業が極めて容易である反面、常態において、先端の刃部が露出状態で前方へ突出している。従って、むき出し状態にある先端刃部によって、子供などが誤って皮膚面を傷つけるなどの事故の虞れが予見される。
【０００９】
また、剥き出し状態の先端刃部は、管端周縁を断面三角形状に切削したもので、刃部は厚みが極めて薄い。従って、この器具を誤って落とすなど、硬いものに刃部をぶつける場合は、衝撃で刃部が毀損する虞れがある。
【００１０】
更に、所謂バネ方式で押出し棒を付勢しているため、バネの劣化等に起因して押出し棒の進退がスムーズでなくなる不利がある許かりでなく、使用中に意に反して押出し棒を突出させてしまう虞れのある事が判明した。
【００１１】
この考案は、以上のような課題を解消させ、角質除去作業中以外は、刃先をおおい状に保護することで、刃先により肌を傷つける危険性がなく、且つ刃自体の損傷も防止し得ると共に、誤操作による不安を解消した安全で衛生的な角質除去具を提供することを目的とする。
【課題を解決するための手段】
【００１２】
この目的を達成させるために、この考案の角質除去具では、次のような構成としている。
【００１３】
角質除去具は、把持部と、周壁面内に直動用長孔を開設すると共に、先端が筒開口面より外方へ突出する刃先保護棒を固定した小径筒部とを備える筒本体と、この筒本体の小径筒部内に往復動可能に配備され、戻り位置において上記刃先保護棒に外嵌する削り管の先端を刃先保護棒先端より後退させ且つ、送り位置において削り管の先端を刃先保護棒先端より前進させる従動スライダーと、上記小径筒部の外面に回動可能に配備され、上記直動用長孔を貫通する従動スライダーの突子の先端を嵌合する案内溝を備えた操作用筒体とから成ることを特徴としている。
【考案の効果】
【００１４】
この考案では以上のように、操作用筒体を正逆回動すると、連繋する従動スライダーが往復動し、従動スライダーの削り管を進退させることとしたから、例えば操作用筒体を反時計回りに廻すと、削り管が前進して刃先がむき出し状となり、角質削り作業が行なえる。
【００１５】
一方、操作用筒体を時計回りに廻すと、削り管が後退して刃先保護棒の先端が露出する。この常態姿勢において、削り管先端の刃先は小径筒部先端面と刃先保護棒の先端部とによって前後が覆い状に保護される。つまり、刃先の前後方向がさえぎられる。
【００１６】
従って、この常態姿勢（削り管の戻り位置状態）においては、刃先を皮膚面に対しいかなる角度（従来は危険な水平に近い角度）で滑らせても、肌を傷つける危険性がなく安全を確保し得る。
【００１７】
また、削り管の先端である刃先は、内接状に挿通する刃先保護棒によって中実管となるから一層強固となる。従って、器具を誤って足下へ落下させるなどの意に反する場合でも刃先を毀損させる虞れがない。
【００１８】
更に、操作用筒体の回動操作がない限り、刃先の送り状態及び戻り状態が保持される。従って、例えば送り状態で角質削り作業中に、意に反して戻り状態となる等の不利を解消し得る。
【００１９】
また、角質除去作業を行わないときは、つまり削り管の戻り状態のときには、筒本体に対しキャップが取り付けられる。これにより、操作用筒体も覆われ外部から保護されるため、一層安全であるなど考案目的を達成した優れた効果を有する。
【考案を実施するための最良の形態】
【００２０】
以下、図面に基づき本考案に係る角質除去具の具体的な実施の形態を説明する。
図１は、角質除去具を示す斜視図である。
【００２１】
角質除去具は、筒本体１と、筒本体１の小径筒部１Ａ内に配備される筒状の従動スライダー２と、小径筒部１Ａの外面に配備される操作用筒体３と、小径筒部（操作用筒体３）１Ａを覆うキャップ５とから構成される。
【００２２】
筒本体１は、例えば合成樹脂の成形品で、比較的長尺な上開口有底の筒状把持部１Ｂと、この把持部１Ｂの先端部に連続状に配備される小径筒部１Ａとから成る。
【００２３】
小径筒部１Ａは、上開口有底の小径な筒体で、底部１ａの脚部１４が把持部１Ｂの上開口に内嵌し、且つ底部１ａのフランジ１３が上開口周縁に載置した状態で固定される。
【００２４】
この小径筒部１Ａの上開口は、扁平な筒状の蓋体４により閉成してある。この蓋体４には面内に後述する削り管２４を貫通させる窓孔４１が開設してある。
【００２５】
図２及び図４で示すように、小径筒部１Ａの筒壁１ｂには、所定長さの直線状の直動用長孔１２、１２が、１８０度角開いて２条開口してある。
【００２６】
この直動用長孔１２、１２には、孔先端部に反時計回り方向へ導引するストッパ孔部１２ａと、孔基端部に時計回り方向へ導引するストッパ孔１２ｂとが連通形成してある。
【００２７】
上記小径筒部１Ａの底部１ａには、筒開口面方向へ直線状に伸びる小径の刃先保護棒１１が突設してある。刃先保護棒１１の先端部には、後述する削り管２４に接面状に内嵌する内接頭部１１ａが設けてある。この刃先保護棒１１の先端（内接頭部１１ａ）は、前記蓋体４より外方へ突出している。
【００２８】
前記従動スライダー２は、図２で示すように、上開口有底の筒体２１で、筒底２ａの貫通孔２２に刃先保護棒１１を挿し通す状態で、小径筒部１Ａ内に往復動可能に配備してある。
【００２９】
この従動スライダー２には、筒体２１内に両端が開口した削り管２４が内装固定してある。削り管２４は、実施の形態ではステンレス鋼管で、上記刃先保護棒１１に外嵌しており、削り管２４先端の刃先２４ａは、蓋体４より露出している。
【００３０】
更に、筒体２１の筒壁２ｂの外面には、外方へ突出する２つの突子２３、２３を突設している。この突子２３、２３は、１８０度角開いて配置され、上記直動用長孔１２、１２に対応し嵌挿している。
【００３１】
上記操作用筒体３は、両端開口の円筒体で、小径筒体１Ａの外面に回動可能に嵌合してある。この操作用筒体３は、図４で示すように所謂、溝付き円筒形カムである。１８０度角開いた２条の案内溝３１、３１は、筒体３の前端から筒体３長さ中央へ向けて、筒内面に凹み形成してある。
【００３２】
前記従動スライダー２の突子２３、２３は、直動用長孔１２を貫通し、且つ突子２３の先端部が、この案内溝３１、３１に嵌合している。操作用筒体３を時計回り或いは反時計回りに回動させることで、従動スライダー２が直動（往復動）し、削り管２４が刃先保護棒１１の内接頭部１１ａに対し前後進する。
【００３３】
このような構成を有する角質除去具では、操作用筒体３を反時計回りに廻すと、図５で示すように、突子２３が直動用長孔１２内を先端側へ移動する。つまり、従動スライダー２と共に、削り管２４が前進して突出する。そして、突子２３が先端側のストッパ孔１２ａに嵌着して、操作用筒体３の回動は阻止される。再び、操作用筒体３を逆方向へ回動させるまで、削り管２４の突出状態は保持される。
【００３４】
図３で示すように、この状態で削り管２４の剥き出しの刃先２４ａを皮膚面Ｘに押し当て、前後動させることで角質を除去する。除去された角質Ａは、削り管２４先端内に溜まる。
【００３５】
角質除去作業が終了、或いは削り管２４に溜まった剥離角質Ａを排出する場合は、操作用筒体３を時計回りに廻す。図４で示すように、突子２３が直動用長孔１２内を基端側へ移動し、ストッパ孔１２ｂで停止する。
【００３６】
つまり、従動スライダー２と共に、削り管２４が後進して没入し、刃先保護棒２４の先端部（頭部２４ａ）が露出する。そして、突子２３が基端側のストッパ孔１２ｂに嵌着して、操作用筒体３のそれ以上の回動は阻止される。再び操作用筒体３を逆方向へ回動させるまで、刃先保護棒２４の突出状態は保持される。
【００３７】
図２で示すように、この状態において刃先２４ａは、蓋体４と刃先保護棒の露出頭部１１ａとによって前後を覆い状に保護される。従って、皮膚面Ｘを誤って切る等の不利は勿論、落下などによる刃先２４ａ自体の毀損も防止される。
【００３８】
また、削り管２４の往復移動（前後進移動）は、操作用筒体３を回動する以外、出・没状態が保持される。従って、意に反して削り管２４が出没する虞れは全くなく安全性が確保される。
【００３９】
更に、図１及び図２で示すように、削り管２４の戻り位置状態、つまり削り作業を行わないときは、筒本体１の上部を完全に覆うキャップ５が取り付けられ、切刃２４ａの保護並びに操作用筒体３の誤操作防止が図られる。
【図面の簡単な説明】
【００４０】
【図１】実施の形態の角質除去具を示す斜視図である。
【図２】実施の形態の角質除去具を示す断面図である。
【図３】実施の形態の角質除去具の使用状態を示す断面図である。
【図４】操作用筒体を取り外した状態を示す説明図である。
【図５】操作用筒体を取り外した状態を示す説明図である。
【図６】本願出願人が先に提案した角質除去具を示す断面図である。
【図７】従来の角質除去具を示す説明斜視図である。
【符号の説明】
【００４１】
１      筒本体
２      従動スライダー
３      操作用筒体  
４      蓋体
５      キャップ
１Ａ    小径筒部
１Ｂ    把持部
１１    刃先保護棒
１２    直動用長孔
１１ａ  内接頭部
１２ａ  ストッパ孔
１２ｂ  ストッパ孔
２３    突子
２４    削り管
２４ａ  刃先
３１    案内溝
Ａ      剥離角質
Ｘ      皮膚表面
【図１】
0003146129.tif 000003
【図２】
0003146129.tif 000004
【図３】
0003146129.tif 000005
【図４】
0003146129.tif 000006
【図５】
0003146129.tif 000007
【図６】
0003146129.tif 000008
【図７】
0003146129.tif 000009